(57)【要約】【課題】折畳んだとき安定した立位状態が得られ、折畳み状態のまま任意の場所に安定して移動させることができる折畳み式テーブルを実現する【解決手段】天板１を水平になるように回動させ、固定脚２と連結材４が成す枠体に対して開閉脚３をほぼ９０度の角度に開いて、各開閉脚３上に天板１を載せることで展開状態のテーブルとし、固定脚２と連結材４が成す枠体に対して開閉脚３をほぼ平行になるように閉じると共に、天板１をほぼ垂直に回動させることにより折畳み時状態として、この折畳み状態において各開閉脚３の張出し部３ａにそれぞれ取付けられたキャスタ５が天板１の外側に位置するようにした。【選択図】        図１
2010011978.tif 000002
【特許請求の範囲】
【請求項１】
所定の間隔で連結材により平行に結合された少なくとも２本の固定脚と、それぞれの固定脚と平行にかつ該固定脚にアームを介して回動可能に取り付けられた開閉脚と、それぞれの固定脚の下端に前記開閉脚と反対側に向かって斜め外方向に張出すように形成された張出し部と、それぞれの開閉の下端に前記固定脚と反対側に向かって斜め外方向に張出すように形成された張出し部と、前記各固定脚の張出し部及び前記各開閉脚の張出し部にそれぞれ取付けられたキャスタと、前記各固定脚の上端に一辺近傍の部分を回動可能に取付けた天板とを備え、
前記天板を水平になるように回動させ、前記固定脚と連結材が成す枠体に対して前記開閉脚をほぼ９０度の角度に開いて、各開閉脚上に天板を載せることで展開状態のテーブルとし、
前記固定脚と連結材が成す枠体に対して前記開閉脚をほぼ平行になるように閉じると共に、前記天板をほぼ垂直に回動させることにより折畳み時状態として、この折畳み状態において各開閉脚の張出し部にそれぞれ取付けられたキャスタが天板の外側に位置するようにしたことを特徴とする折畳み式テーブル。
【請求項２】
請求項１記載の折畳み式テーブルにおいて、
少なくとも各固定脚及び各開閉脚をステンレス製のパイプで形成し、前記天板をステンレス板で形成したことを特徴とする折畳み式テーブル。
【請求項３】
請求項１または請求項２記載の折畳み式テーブルにおいて、
前記天板の裏面に開いた各開閉脚をロックするロック機構を設けたことを特徴とする折畳み式テーブル。
【発明の詳細な説明】
【技術分野】
【０００１】
本発明は、多用途に使用可能な折畳み式テーブルに関するもので、特にコンパクトに折畳むことが可能な折畳み式テーブルに関する。
【背景技術】
【０００２】
従来の折畳み式テーブルとして、例えば、特許文献１に示されるものがある。
この特許文献１に示された従来の折畳み式テーブルは、連結杆で連結されている左右一対の後脚の上部に曲折形成された後向延出部間に天板を取り付けた天板フレームの後端部を挟み込む形で、両後向延出部に天板の後端部を回転自在に取付け、また前脚を有する側枠の下向き曲折部をそれぞれの後脚の前部に回動可能に取り付けて、各後脚及び前脚の下端にキャスタを設けた構成を有している。
【０００３】
この折畳み式テーブルは、前脚を有する両側枠をそれぞれ前方を向く使用位置に開き、天板を水平な状態に固定することで、テーブルとして使用可能な状態とし、そして天板を水平な状態からほぼ２７０度回転させることで、天板を後脚の後部側にほぼ垂直に立てると共に、その天板の下端面を直接または天板フレームを介して接床（接地）させ、更に両側枠を互いに内方を向く折畳み位置に回動させることで、全体を立てた状態で折畳むことが可能なようにしている。
【特許文献１】特開２００６−４３０７５
【発明の開示】
【発明が解決しようとする課題】
【０００４】
しかしながら、上述した従来の技術においては、テーブル全体をコンパクトに折畳むことができるものの、テーブルとして使用可能な状態にするために展開する際、及び折畳む際に天板をほぼ２７０度回転させる必要があるため、操作性が悪く、かつ天板を回転させる際にバランスが崩れて転倒しやすいという問題がある。
また、折畳み時にほぼ垂直に立てた天板の下端面を直接または天板フレームを介して接床（接地）させることで、折畳んだ後のテーブルの転倒を防止するようにしているため、折畳んだ状態でキャスタにより移動させることができないという問題があり、更に天板の下端面を接地させることから、例えば厨房用の作業テーブルとして使用する場合、天板の下端面の清潔さを保てなくなるという問題もある。
【０００５】
本発明は、このような問題を解決することを課題とする。
【課題を解決するための手段】
【０００６】
そのため、本発明の折畳み式テーブルは、所定の間隔で連結材により平行に結合された少なくとも２本の固定脚と、それぞれの固定脚と平行にかつ該固定脚にアームを介して回動可能に取り付けられた開閉脚と、それぞれの固定脚の下端に前記開閉脚と反対側に向かって斜め外方向に張出すように形成された張出し部と、それぞれの開閉の下端に前記固定脚と反対側に向かって斜め外方向に張出すように形成された張出し部と、前記各固定脚の張出し部及び前記各開閉脚の張出し部にそれぞれ取付けられたキャスタと、前記各固定脚の上端に一辺近傍の部分を回動可能に取付けた天板とを備え、前記天板を水平になるように回動させ、前記固定脚と連結材が成す枠体に対して前記開閉脚をほぼ９０度の角度に開いて、各開閉脚上に天板を載せることで展開状態のテーブルとし、前記固定脚と連結材が成す枠体に対して前記開閉脚をほぼ平行になるように閉じると共に、前記天板をほぼ垂直に回動させることにより折畳み時状態として、この折畳み状態において各開閉脚の張出し部にそれぞれ取付けられたキャスタが天板の外側に位置するようにしたことを特徴とする。
【発明の効果】
【０００７】
このようにした本発明は、テーブルとして使用可能な状態にする展開する際、及び折畳む際に天板をほぼ９０度回転させるだけで済むため、操作性が良く、かつ天板を回転させる際にバランスが崩れて転倒することもないという効果が得られる。
また、折畳んだとき、天板の重心位置が開閉脚の張出し部に取付けたキャスタの内側の位置になるので、安定した立位状態が得られ、そのため折畳み状態のまま任意の場所に安定して移動させることができ、更に折畳んだとき、天板の下端面が接地することがないので、例えば厨房用の作業テーブルとして使用する場合、天板の下端面の清潔さを保てるという効果も得られる、安定した立位状態のまま保管することができる。
【発明を実施するための最良の形態】
【０００８】
以下、図面を参照して本発明による折畳み式テーブルの実施例を説明する。
【実施例】
【０００９】
図１は実施例を示す折畳み状態の斜視図、図２は展開状態の斜視図、図３は天板を破線で示した展開状態の斜視図である。
図１〜図３において１は天板（甲板）、２は固定脚、３は開閉脚である。
天板１は長方形に形成され、少なくとも下方に垂下するように曲折形成された所定の幅の周面１ａを有している。
【００１０】
固定脚２は左右一対として、例えば上下の部分を所定の長さの連結材４により結合されている。
各連結材４は天板１の長手方向の長さよりやや短い長さを有し、この連結材４により２本一対の固定脚２は互いに平行に固定されていて、連結材４と共に枠体を形成している。
また、それぞれの固定脚２の下端には、後述するように取り付けられる開閉脚３側と反対側に向かって斜め外方向に張出すように曲折された張出し部２ａが形成されていて、各張出し部２ａの先端下側にロック機構付きのキャスタ５が取付けられている。
【００１１】
開閉脚３は固定脚２と同様の長さに形成されている。
この開閉脚３は２本使用され、それぞれの開閉脚３は上下の端部がコの字型のアーム６の先端に固定されていて、それぞれの開閉脚３の下端には、固定脚２側と反対側に向かって斜め外方向に張出すように曲折された張出し部３ａが形成され、各張出し部２ａの先端下側にロック機構付きのキャスタ５が取付けられている。
【００１２】
各アーム６は垂直部６ａの複数個所（図では２個所）がアーム支持具７を介してそれぞれの固定脚２に回動自在に取り付けられて支持されており、これによりそれぞれの開閉脚３とアーム６は、各アーム６の垂直部６ａを中心に回動し、固定脚２と連結材４が形成する枠体に対して平行になる位置に閉じ、またその枠体に対してほぼ９０度を成す位置に開くことができるようになっている。
【００１３】
また、各アーム６の上下の水平部６ｂは天板１の短手方向の長さよりやや短い長さに設定され、開閉脚３がアーム６と共に開かれたとき、後述するように水平に支持される天板１の外側に開閉脚３が飛び出さないようになっている。
８は各アーム６の垂直部６ａと平行になるように上下の水平部間に渡された開閉操作ようの操作部材で、アーム６の補強部材を兼ねている。
【００１４】
９は両固定脚２の上端部に基部を取り付けた天板支持具で、各天板支持具９の先端に天板１の裏面の一方の長辺近傍の部分が回転自在に取り付けられており、これにより天板１は水平、垂直の状態に回動できるようになっている。
また、それぞれの天板支持具９は、開閉脚３をアーム５と共に閉じて天板１を垂直の状態に回動させたとき、天板１を開閉脚３とアーム５の外側に保持できる長さを有しており、またその状態で開閉脚３の張出し部３ａに取付けてあるキャスタ５が天板１の外側になるように張出し部３ａの長さが定められている。
【００１５】
尚、本実施例において天板１はここでは長方形に形成され、正方形であってもよく、また長方形や正方形の四隅をカットあるいは所定の丸みを持つようにした形状、更に８角形や円形等とすることもできる。
また、天板１の裏面（下面）には両開閉脚３を９０度開いたとき、それぞれの開閉脚３を開いた状態にロックする図示しないロック機構を両開閉脚３に対応させて設けるが、そのロック機構は開閉脚３の上端をロックできるものであれば任意の構造のものを用いることができる。
【００１６】
また、上述した１〜９の各構成部品は基本的にはすべてステンレス製とするが、少なくとも天板１をステンレス板で形成すると共にし、各固定脚２及び各開閉脚３をステンレス製のパイプで形成してあればよく、更に他の金属、あるいは一部プラスチックや木材等との組合せで各構成部品を形成することも可能である。
上述した構成の作用について説明する。
【００１７】
図４〜図６は実施例の折畳み工程を示す斜視図である。
いま、図２に示したように折畳み式テーブルが展開状態のとき、開閉脚３とアーム５は、固定脚２と連結材４が形成する枠体に対してほぼ９０度を成す位置に開いており、天板１は他方の長辺近傍の部分が開閉脚３状に載せられて水平状態に保持される。
この状態で、固定脚２の上端を天板１の裏面に設けてあるロック機構によりロックし、また固定脚２の張出し部２ａ及び開閉脚３の張出し部３ａに取付けたキャスタ５もそれぞれのロック機構でロックして回転不可の状態にすることで、本折畳み式テーブル例えば厨房用の作業テーブルとして使用することができる。
【００１８】
この状態から折畳み式テーブルを折畳む場合、開閉脚３の張出し部３ａに取付けたキャスタ５のロックを解除して回転可能にし、また天板の裏面に設けてあるロック機構を解除して、図４に示すようにそれぞれの開閉脚３をアーム６の垂直部６ａを中心に内側に回動させる。
その際、開閉脚３の上部を手でつかんでロック機構から外れる位置まで回動させてから、操作部材８を手でつかみ、図５に示したように開閉脚３とアーム５が固定脚２と連結材４が形成する枠体に対して平行になる位置まで回動させて閉じるようにし、更に天板１を図６に示したように天板支持具９を中心に下方にほぼ９０度回動させて図１に示したようにコンパクトに折畳む。
【００１９】
このようにして折畳んだテーブルは天板１の重心位置が開閉脚３の張出し部３ａに取付けたキャスタ５の内側の位置になるので、つまり開閉脚３の張出し部３ａに取付けたキャスタ５が天板の外側に位置するので、安定した立位状態が得られ、そのため固定脚２の張出し部２ａに取付けたキャスタ５のロックを解除して回転可能にすることで、折畳み状態のまま任意の場所に安定して移動させることができ、更に保管する場合は、保管位置に移動後、各キャスタ５をロック機構によりロックして回転不可の状態にすることで安定した立位状態のまま保管することができる。
【００２０】
折畳んだ状態から、図２に示したように再び展開状態にする場合は、折畳み状態のまま使用場所まで移動し、前記と逆の操作で展開状態することができる。
以上説明した実施例によると、テーブルとして使用可能な状態にする展開する際、及び折畳む際に天板２をほぼ９０度回転させるだけで済むため、操作性が良く、かつ天板１を回転させる際にバランスが崩れて転倒することもないという効果が得られる。
【００２１】
また、折畳んだとき、天板１の重心位置が開閉脚３の張出し部３ａに取付けたキャスタ５の内側の位置になるので、安定した立位状態が得られ、そのため折畳み状態のまま任意の場所に安定して移動させることができ、更に折畳んだとき、天板２の下端面が接地することがないので、例えば厨房用の作業テーブルとして使用する場合、天板の下端面の清潔さ保てるという効果も得られる、安定した立位状態のまま保管することができる。
【００２２】
また、天板１をステンレス板で形成すると共にし、各固定脚２及び各開閉脚３をステンレス製のパイプで形成することで、充分な強度が得られ、汚れや水、薬品の差込みもないので、常に清潔な状態を維持できるという効果も得られる。
尚上述した実施例では固定脚２及び開閉脚３の数を２本としたが、これに限られるものではなく、天板１の大きさに応じて３本以上にできることは無論である。
【図面の簡単な説明】
【００２３】
【図１】実施例を示す折畳み状態の斜視図
【図２】実施例を示す展開状態の斜視図
【図３】実施例を示す天板を破線で示した展開状態の斜視図
【図４】実施例の折畳み工程を示す斜視図
【図５】実施例の折畳み工程を示す斜視図
【図６】実施例の折畳み工程を示す斜視図
【符号の説明】
【００２４】
１    天板
１ａ  周面
２    固定脚
２ａ  張出し部
３    開閉脚
３ａ  張出し部
４    連結材
５    キャスタ
６    アーム
６ａ  垂直部
６ｂ  水平部
７    アーム支持具
８    操作部材
９    天板支持具
【図１】
2010011978.tif 000003
【図２】
2010011978.tif 000004
【図３】
2010011978.tif 000005
【図４】
2010011978.tif 000006
【図５】
2010011978.tif 000007
【図６】
2010011978.tif 000008